(57)【特許請求の範囲】
【請求項１】
液透過性の肌当接面２、液不透過性の非肌当接面３、及び該肌当接面２と該非肌当接面３との間に介在された液保持性の吸収部４を有し、実質的に縦長に形成されてなる吸収性物品１において、
上記肌当接面２は、その周縁部全体が、一面５０ａが疎水性で且つ中央部がくり貫かれた一枚の嵩高シート５０を該一面５０ａが表面となるように配して、被覆されており、
上記周縁部の表面には、連続した疎水性シート部５が形成されていると共に、上記肌当接面２の中央部には、排泄物吸収用の開口部６が形成されており、
上記嵩高シート５０は、上記吸収部４が存在せず上記肌当接面２と上記非肌当接面３とが接合されている部分である、ナプキンの周縁部のみにおいて表面シート２０と接合されており、その厚みが０．５〜７mmであり、そのバルクソフトネス値が２０〜３５０ｇである、
ことを特徴とする吸収性物品。
【発明の詳細な説明】
【０００１】
【発明の属する技術分野】
本発明は、生理用ナプキンや失禁パッド等の吸収性物品に関し、更に詳細には、防漏性及び装着感に優れた吸収性物品に関する。
【０００２】
【従来の技術及び発明が解決しようとする課題】
従来、生理用ナプキンなどの吸収性物品としては、液透過性の肌当接面、液不透過性の非肌当接面、及び該肌当接面と該非肌当接面との間に介在された液保持性の吸収部を有し、実質的に縦長に形成されてなる吸収性物品が、広く用いられている。
【０００３】
このような吸収性物品においては、その前後左右の周縁部から吸収した排泄物が漏れてしまう場合があるため、該周縁部を２枚の疎水性シートや開孔フィルムで覆うという提案が、実開平１−１２２７２７号公報や特開平８−１１７２７３号公報においてなされている。
【０００４】
しかし、このような提案に係る吸収性物品においても、未だ十分に要求されているレベルで液漏れを防止できていないのが現状であり、さらには、このように液漏れ防止性を向上させようとすると装着感が劣る場合もあった。
このため、より前後左右からの液漏れ防止性に優れ、さらには装着感にも優れた吸収性物品の開発が要望されているのが現状である。
【０００５】
従って、本発明の目的は、吸収性物品の前後左右の周縁部からの液漏れ防止性に優れ、さらには装着感にも優れた吸収性物品を提供することにある。
【０００６】
【課題を解決するための手段】
本発明者等は、上記課題を解消するために鋭意検討した結果、特定の厚みを有する嵩高シートで肌当接面側の表面における周縁を被覆してなる吸収性物品が、上記目的を達成しうることを知見した。
【０００７】
本発明は、上記知見に基づきなされたもので、液透過性の肌当接面２、液不透過性の非肌当接面３、及び該肌当接面２と該非肌当接面３との間に介在された液保持性の吸収部４を有し、実質的に縦長に形成されてなる吸収性物品１において、上記肌当接面２は、その周縁部全体が、一面５０ａが疎水性で且つ中央部がくり貫かれた一枚の嵩高シート５０を該一面５０ａが表面となるように配して、被覆されており、上記周縁部の表面には、連続した疎水性シート部５が形成されていると共に、上記肌当接面２の中央部には、排泄物吸収用の開口部６が形成されており、上記嵩高シート５０は、上記吸収部４が存在せず上記肌当接面２と上記非肌当接面３とが接合されている部分である、ナプキンの周縁部のみにおいて表面シート２０と接合されており、その厚みが０．５〜７mmであり、そのバルクソフトネス値が２０〜３５０ｇである、ことを特徴とする吸収性物品を提供するものである。
【０００９】
【発明の実施の形態】
以下、図面を参照して本発明を更に詳細に説明する。
ここで、図１は、本発明の吸収性物品としての生理用ナプキンの一形態を示す斜視図であり、図２は、図１に示す生理用ナプキンのII-II 断面図であり、図３は、図１のIII-III 断面図である。
【００１０】
図１〜図３に示す本形態の吸収性物品としての生理用ナプキン１は、液透過性の肌当接面２、液不透過性の非肌当接面３、及び該肌当接面２と該非肌当接面３との間に介在された液保持性の吸収部４を有し、実質的に縦長に形成されてなる。
【００１１】
更に説明すると、本形態の生理用ナプキン１は、図２及び図３に示すように、上記肌当接面２は液体透過性の表面シート２０により形成されており、上記非肌当接面３は液体透過性の裏面シート３０により形成されており、上記吸収部４は該表面シート２０と該裏面シート３０との間に介在された吸収体４０により形成されている。
また、本形態の生理用ナプキン１は、その長手方向略中央部が、幅狭になされている。
【００１２】
また、上記裏面シートの表面には、通常、粘着剤が塗布されてズレ止め部が形成されてる（図示せず）。
ここで、上記表面シート２０、上記裏面シート３０及び上記吸収体４０の形成材料としては、通常公知の材料を特に制限なく用いることができる。
【００１３】
而して、本形態の生理用ナプキン１において、上記肌当接面２は、その周縁部全体が、一面５０ａが疎水性で且つ中央部がくり貫かれた嵩高シート５０を該一面５０ａが表面となるように配して、被覆されており、上記周縁部の表面には、連続した疎水性シート部５が形成されていると共に、上記肌当接面２の中央部には、排泄物吸収用の開口部６が形成されており、上記嵩高シート５０は、その厚みが０．５〜７mm、好ましくは１〜３mmである。
上記厚みが、０．５mm未満であると、防漏効果に劣り、７mmを超えると、フィット性が悪化して、使用者に違和感を与える。本発明においては、このような厚みを有する嵩高シートを用いているので、使用者に弾力感を与えることができ、よれにくく、又フィット性及び装着感に優れる。
尚、上記嵩高シートにおける「嵩高」とは、０．５mm以上の厚みを有し、更に好ましくは、その密度が０．２ｇ／cm3 以下であることを意味する。
また、上記「一枚の」とは、肌当接面に２枚以上の嵩高シートを配していないことを意味するものであり、後述するように、嵩高シート自体が積層シートである場合を除外するものではない。従って、上記疎水性シート部５は、上記周縁部の表面全面に亘って連続して形成されていれば、２層以上の積層構造を有していてもよい。
【００１４】
更に詳述すると、図１に示すように、上記嵩高シート５０は、その外周縁が生理用ナプキンの周縁と同じ形状になされており、内周縁の形状も該外周縁の形状に類似の形状となされている。
また、図２及び図３に示すように上記嵩高シート５０は、ナプキンの周縁部（吸収体４０が存在せず表面シート２０と裏面シート３０とが接合されている部分）において、肌当接面２、即ち、上記表面シート２０に接合されている。
また、図３に示す上記生理用ナプキン１の長手方向側方における上記疎水性シート部５の巾Ｗａは、１０〜２０mmとするのが好ましく、また図２に示す上記生理用ナプキン１の長手方向両端方向における上記疎水性シート部５の巾Ｗｂは、生理用ナプキンの前方部使用者の前方に位置する部位）においては１５〜５０mm、後方部（使用者の後方に位置する部位）においては１５〜６０mmとするのが好ましい。更に、図２に示す上記開口部６の長さＬは、１２０mm以上とするのが好ましく、図３に示すその巾Ｗは、４５mm以上とするのが好ましい。
尚、本形態においては、上記生理用ナプキン１の長手方向側方における上記疎水性シート部５の巾Ｗａは、１０mmであり、長手方向両端方向における上記疎水性シート部５の巾Ｗｂは、前方部が３０mm、後方部が４０mmであり、上記開口部６の長さＬは、１３５mmであり、その巾Ｗは、５５mmである。
【００１５】
また、上記嵩高シートは、そのバルクソフトネス値が、２０〜３５０ｇであり、４５〜２５０ｇが好ましい。２０ｇ未満であると、弾力感及びヨレ防止効果が低下し、３５０ｇを超えると、装着時に使用者が感じる違和感が多くなる。
【００１６】
尚、上記バルクソフトネスは、下記の如くして測定されるものである。
即ち、嵩高シートをＭＤ方向に長さ１７０ｍｍ、ＣＤ方向に幅４０ｍｍにそれぞれカットし、図４に示すように円筒形にし、これを測定サンプルとする。尚、円筒形の測定サンプルにおける接合部分は、両端縁が２ｍｍ重なるようにして、ホチキスで２ヶ所固定した。そして、（株）オリエンテック製、「ＴＥＮＳＩＬＯＮ」にて５ｋｇの荷重を１０ｍｍ／ｍｉｎの速度で円筒上方より加重し、圧縮する。このときのピークトップをチャートより読みとり、バルクソフトネス値とする。
【００１７】
また、上記嵩高シートは、その密度が０．２ｇ／ｃｍ3 以下であるのが好ましく、０．００５〜０．１ｇ／ｃｍ3 であるのが更に好ましい。
【００１８】
上記嵩高シートとしては、上述の厚さを有するものであれば特に制限されないが、単層シート又は積層シートが用いられる。ここで、本形態においては、いずれのシートとしても、肌当接面に位置される１面のみが疎水性であり、他面は親水性で液保持層として機能するシートが好ましく用いられる。そして、本形態においては、上記一面が表面に位置するようになされているため、一度吸収された液が表面に滲みもれることはなく、また、上記表面シート側に位置する上記他面が吸収層としても機能するため、吸収力も向上する。
上記単層シートとしては、例えば、ポリエチレン、ポリプロピレン、ポリエチレンテレフタレート等のポリエステル、及びナイロン等のポリアミド等の合成繊維を主体とする不織布等が用いられる。
上記不織布は、例えば、カード法、スパンボンド、メルトブローン、スパンレース及びエアレイドなど公知の手法を特に制限なく適用して、上記合成繊維から製造することができる。また、上記合成繊維としては、必要に応じ、融点の高い成分を芯成分とし、かつ融点の低い成分を鞘成分とした芯鞘型の複合繊維やサイド−バイ−サイド型の複合繊維を用いることもできる。
【００１９】
また、上記積層シートとしては、２種以上の不織布を、ヒートシール、あるいは、ホットメルト接着剤等で一体化してなる積層シートや、上記不織布にポリエチレン等の熱可塑性樹脂からなる疎水性フィルムをラミネートしてなる積層シートを用いることができる。また、上記疎水性フィルムとしては、適当なパターンにてエンボス処理若しくは開孔処理を施したものを用いることもできる。
また、中央部をくり貫くには、上記単層シート又は上記積層シートの原反を、所望の形状のカッターでくりぬくか、又は熱をかけながら切り落とすことにより行うことができる。
【００２０】
本形態の生理用ナプキン１は、通常の生理用ナプキンと同様にして使用に供することができる。そして、上述のように、特定の嵩高シート５０が配されて、疎水性シート部５及び開口部６が形成されているので、一旦吸収した排泄物を吸収性物品の周縁部２１から漏らすことが無く、液漏れ防止性に特に優れている。
【００２１】
上記の本形態の生理用ナプキン１は、通常公知の方法で、製造してなる肌当接面２と肌当接面３と吸収部４とを有する生理用ナプキンに、上記形状に裁断した嵩高シート５０をヒートシールする等して、肌当接面２側に貼り付ける等して容易に製造することができる。
【００２２】
尚、本発明の吸収性物品は、上述の形態には何ら制限されず、本発明の趣旨を逸脱しない範囲で種々変更が可能である。例えば、上記嵩高シートは、ヒートシールによらず、例えば、ホットメルト接着材等で同様の位置に固定することもでき、この場合には、周囲端に固いヒートシール部を形成することがないので、好適である。更に、ホットメルト接着剤とヒートシールとを併用することで同様の効果を発揮させることもできる。また、疎水性シート部は、吸収性物品の周縁部を覆う形状であれば必ずしも吸収性物品自体の形状と同一形状でなくてもよく、開口部も本体相似の形状の他、楕円形、長方形等適宜選択可能である。
【００２３】
【実施例】
以下、実施例により本発明を更に具体的に説明するが、本発明はこれらに限定されるものではない。
【００２４】
〔実施例１〕
下記の製造方法に従って、図１〜３に示す生理用ナプキンを製造した。
尚、表面シート、裏面シート、吸収体及び嵩高シートとしては、それぞれ下記するものを用いた。
表面シート；坪量３０ｇ／ｍ2 のポリエチレンフィルムに開孔を施してなるシート。各開孔径は、０．５ｍｍで、開孔面積率がシート面積全体に対して２０％である。
裏面シート；坪量２５ｇ／ｍ2 の低密度ポリエチレンフィルム。
吸収体；下記の如くして得られた、最短巾６０mm、最大巾７０mmの曲線形状を有し、全長１８０mmの吸収シート。
坪量４０ｇ／ｍ2 の通常の吸収紙を、長さ１８０ｍｍ、巾１４０ｍｍにカットしてシートを得た。得られたシートのほぼ中央にスパイラルホットメルト（商品名「Ｐ−６１８Ｂ」、東洋ペトロライト製）を、坪量１０ｇ／ｍ2 、巾１００ｍｍで塗工し、この塗工した部分の中央部分に吸収性ポリマー〔商品名「ＣＡＷ−４Ｓ」、日本触媒（株）製〕を、坪量５０ｇ／ｍ2 、巾６０ｍｍで均一に散布した。次いで、吸収性ポリマーをサンドイッチするようにシートの両側を折りこみ、最短巾６０ｍｍ、最大巾７０ｍｍの曲線形状でカットした。
【００２５】
嵩高シート；下記不織布Ａと下記不織布Ｂとをヒートシールにより貼り合わせて積層してなり、不織布Ａが一面を形成し且つ不織布Ｂが他面を形成し、最短巾５５ｍｍ、最大巾６０ｍｍ、全長１３５ｍｍの曲線形状の開口部分を有する、厚み０．７ｍｍ、バルクソフトネス３０ｇのシート。
不織布Ａ：疎水性処理し且つスパンレース法により得た、ポリエチレン（Ｐ）／ポリプロピレン（ＰＰ）繊維より成る、坪量１５ｇ／ｍ2 の不織布。
不織布Ｂ：親水性のエアレイド法により得た（ポリエチレンテレフタレート）ＰＥＴ−ＰＥサイドバイサイド型複合繊維から成る坪量１５ｇ／ｍ2 の嵩高な不織布。
尚、嵩高シートの厚みは、適当な大きさに切断した嵩高シートの上面に２．５ｇ／ｍ2 の荷重をかけ、その厚みを測定した。計１０点の平均値をとって、その厚みとした。
【００２６】
〔製法〕
上記吸収体に、坪量３０ｇ／ｍ2 、巾１５ｍｍ、長さ１５０ｍｍのホットメルト接着剤を２本塗工して、該吸収体を上記裏面シートに固定した。そして、吸収体の吸収面の巾が５０ｍｍ確保されるように、裏面シートの左右両側部を左右対称に折り返して、吸収体の裏面側及び表面側の左右両側縁部部分を被覆し、さらに上記表面シートを重ねる。
更に、上記表面シート上に、上記嵩高シートを、上記一面が表面となるように載置し、最短巾７５ｍｍ、最大巾８５ｍｍの曲線形状でヒートシールし、固定及びカットした。
【００２７】
〔実施例２〕
下記嵩高シートを用いた以外は、実施例１と同様にして生理用ナプキンを得た。
嵩高シート；下記不織布Ａと下記不織布Ｂとをヒートシールにより貼り合わせて積層してなり、不織布Ａが一面を形成し且つ不織布Ｂが他面を形成し、最短巾５５ｍｍ、最大巾６０ｍｍ、全長１３５ｍｍの曲線形状の開口部分を有する、厚み１．３ｍｍ、バルクソフトネス３０ｇのシート。
不織布Ａ：疎水処理し、スパンレース法により得た、ＰＥ／ＰＰ複合繊維より成る、坪量１５ｇ／ｍ2 の不織布
不織布Ｂ：エアレイド法により得た、親水性処理したＰＰ−ＰＥサイドバイサイド型複合繊維からなる、坪量１０ｇ／ｍ2 の嵩高な不織布。
【００２８】
〔実施例３〕
下記嵩高シートを用いた以外は、実施例１と同様にして生理用ナプキンを得た。
嵩高シート；下記不織布Ａと下記不織布Ｂとをヒートシールにより貼り合わせて積層してなり、不織布Ａが一面を形成し且つ不織布Ｂが他面を形成し、最短巾５５ｍｍ、最大巾６０ｍｍ、全長１３５ｍｍの曲線形状をもつ形の開口部分を有する、厚み６．５ｍｍ、バルクソフトネス２７６ｇのシート。
不織布Ａ：疎水処理し、スパンレース法により得た、ＰＥ／ＰＰ複合繊維よりなる、坪量１５ｇ／ｍ2 の不織布。
不織布Ｂ：エアレイド法により得た、親水性処理したＰＰ−ＰＥサイドバイサイド型複合繊維からなる、坪量７０ｇ／ｍ2 の嵩高な不織布。
【００２９】
〔実施例４〕
下記嵩高シートを用いた以外は、実施例１と同様にして生理用ナプキンを得た。
嵩高シート；下記不織布Ａと下記不織布Ｂとをヒートシールにより貼り合わせて積層してなり、不織布Ａが一面を形成し且つ不織布Ｂが他面を形成し、最短巾５５ｍｍ、最大巾６０ｍｍ、全長１３５ｍｍの曲線形状をもつ形の開口部分を有する、厚み３．０ｍｍ、バルクソフトネス５５ｇのシート。
不織布Ａ：疎水処理した、スパンレース法により得た、ＰＥ／ＰＰ複合繊維より成る、坪量１５ｇ／ｍ2 の不織布。
不織布Ｂ：エアレイド法により得た、親水性処理したＰＰ−ＰＥサイドバイサイド型複合繊維からなる、坪量３０ｇ／ｍ2 の嵩高な不織布。
【００３０】
〔比較例１〕
実施例１の嵩高シートのかわりに下記シートを用いた以外は、実施例１と同様にして生理用ナプキンを得た。
シート；一面のみ疎水性処理を行った、エアレイド方法により得た、ＰＰ−ＰＥサイドバイサイド型複合繊維からなる坪量５ｇ／ｍ2 の嵩高な不織布（厚み０．２ｍｍ、バルクソフトネス２５ｇ）。
【００３１】
〔比較例２〕
下記シートを用いた以外は、実施例１と同様にして生理用ナプキンを得た。
シート；坪量２７ｇ／ｍ2 、厚み０．０５ｍｍ、バルクソフトネス１５ｇのＰＥフィルム。
【００３２】
〔比較例３〕
下記嵩高シートを用いた以外は、実施例１と同様にして生理用ナプキンを得た。
嵩高シート；一面のみ疎水性処理を行った、エアレイド方法により得られた、ＰＰ−ＰＥサイドバイサイド型複合繊維からなる坪量８５ｇ／ｍ2 、厚み８．５ｍｍ、バルクソフトネス３８０ｇの嵩高な不織布。
【００３３】
〔比較例４〕
嵩高シートを用いない以外は、実施例１と同様にして生理用ナプキンを得た。
【００３４】
〔試験例〕
実施例及び比較例において得られた各生理用ナプキンについて、下記の各試験を行い性能を評価した。その結果を〔表１〕に示す。
＜生理用ナプキンを装着した時の違和感評価＞
生理用ナプキンの股間部における違和感の感応評価を行った。
◎・・・股間部における違和感を全く感じない。
○・・・股間部における違和感をほとんど感じない。
△・・・股間部においてやや剛さや違和感を感じる。
×・・・股間部において剛さや違和感を感じる。
【００３５】
＜ヨレ評価＞
実施例１〜４及び比較例１〜３で得られた生理用ナプキン８０を、図５に示す如く、可動式女性腰部モデルに装着９０させ、ショーツをはかせた後、１００歩／分（５０ｍ／分）の歩行速度で１０分間歩行させた。
次いで、歩行させながら、チューブ９１によって脱繊維馬血を生理用ナプキンに５ｇ注入した後、同じ速度で２０分間歩行させた時点（５ｇ吸収）でのショーツクロッチ中央部におけるナプキン横方向変形率によるヨレ評価を行った。
○・・・ナプキン横方向変形率が２５％以下でほとんどヨレていない。
△・・・ナプキン横方向変形率が２５〜３５％以下でややヨレている。
×・・・ナプキン横方向変形率が３５％以上でヨレている。
ナプキンの横方向の変形率＝｛（Ｌ0 −Ｌ）／Ｌ0 ｝×１００（％）
Ｌ；試験後のナプキン横巾
Ｌ0 ；測定前のナプキン横巾
【００３６】
＜漏れ試験（漏れ発生回数）＞
実施例１〜４及び比較例１〜３で得られた生理用ナプキン８０を、図５に示す如く、可動式女性腰部モデル９０に装着させ、ショーツをはかせた後、１００歩／分（５０ｍ／分）の歩行速度で１０分間歩行させた。
次いで、歩行させながら、チューブ９１によって脱繊維馬血を生理用ナプキンに５ｇ注入した後、同じ速度で２０分間歩行させた時点（５ｇ吸収）、及びその後更に脱繊維馬血５ｇを注入した後、同じ速度で２０分間歩行させた時点（１０ｇ吸収）、それぞれの時点でサンプル数１０枚中のうち、漏れが発生した枚数を数えた。
【００３７】
【表１】
0003748646.tif 000002
【００３８】
〔表１〕に示す結果から明らかなように、特定の範囲の厚みを有する嵩高シートを有する本発明の吸収性物品としての生理用ナプキンは、ヨレにくく、かつ弾力感があるので違和感も少なく、防漏壁として有効に機能するため、モレ防止性に優れたものであることが判る。また、バルクソフトネスが、上述した好ましい範囲内にある場合には、この効果が更に顕著であることが判る。
【００３９】
【発明の効果】
本発明の吸収性物品は、吸収性物品の前後左右の周縁部からの液漏れが防止されてなる、液漏れ防止性に優れたものである。
【図面の簡単な説明】
【図１】図１は、本発明の吸収性物品としての生理用ナプキンの一形態を示す斜視図である。
【図２】図２は、図１に示す生理用ナプキンのII-II 断面図である。
【図３】図３は、図１に示す生理用ナプキンのIII-III 断面図である。
【図４】図４は、バルクソフトネスの測定法の概要を示す概略図である。
【図５】図５は、ヨレ評価及び漏れ試験に用いられる可動式女性要部モデルを示す斜視図である。
【符号の説明】
１    吸収性物品（生理用ナプキン）
２    肌当接面
３    肌当接面
４    吸収部
５    疎水性シート部
６    開口部
２０  表面シート
３０  裏面シート
４０  吸収体
５０  嵩高シート
【図１】
0003748646.tif 000003
【図２】
0003748646.tif 000004
【図３】
0003748646.tif 000005
【図４】
0003748646.tif 000006
【図５】
0003748646.tif 000007